(57)【要約】【課題】ゲート装置に対して機能モジュールを嵌合するだけで機能モジュールの電力路および情報路を同時に確保でき、且つ、機能モジュールの追加や変更にも容易に対応できる配線システムを提供する。【解決手段】配線システムは、天井に取着され先行配線された電力線および情報線にそれぞれ接続されたゲート装置と、ゲート装置１Ａに重ねて取着される１乃至複数の機能モジュール２ａとを備える。機能モジュール２ａは、一方の面に電源用および情報用の栓刃挿入口２３，２４を設け、各栓刃挿入口２３，２４の内部に引掛刃受部材を配設するとともに、他方の面にゲート装置に設けた引掛刃受部材又は他の機能モジュールに設けた引掛刃受部材に保持される電源用および情報用の引掛栓刃２１，２２を設けてある。【選択図】図１
2007151277.tif 000002
【特許請求の範囲】
【請求項１】
造営材の裏側に先行配線された電力線および情報線にそれぞれ電気的に接続され、一面を造営材の表側に露出させた状態で造営材に取着されるゲート装置と、前記ゲート装置に重ねて取着される１乃至複数の機能モジュールとで構成され、
ゲート装置の室内側の表面と、ゲート装置への取付方向における機能モジュールの一面とに、電源用栓刃挿入口および情報用栓刃挿入口をそれぞれ形成し、前記取付方向における機能モジュールの他面に電源用栓刃と情報用栓刃とを設け、
前記ゲート装置の内側であってゲート装置に設けた電源用栓刃挿入口および情報用栓刃挿入口にそれぞれ対応する部位に、前記電力線および前記情報線にそれぞれ電気的に接続されて、前記各栓刃挿入口から挿入された機能モジュールの電源用栓刃および情報用栓刃をそれぞれ保持する第１の電源用刃受部材および第１の情報用刃受部材を配設するとともに、
前記機能モジュールの内側であって当該機能モジュールに設けた電源用栓刃挿入口および情報用栓刃挿入口にそれぞれ対応する部位に、当該機能モジュールに設けた電源用栓刃および情報用栓刃にそれぞれ電気的に接続されるとともに、前記各栓刃挿入口から挿入された他の機能モジュールの電源用栓刃および情報用栓刃をそれぞれ保持する第２の電源用刃受部材および第２の情報用刃受部材を配設したことを特徴とする配線システム。
【請求項２】
造営材の裏側に先行配線された電力線に電気的に接続され、一面を造営材の表側に露出させた状態で造営材に取着されるゲート装置と、前記ゲート装置に重ねて取着される１乃至複数の機能モジュールとで構成され、
ゲート装置の室内側の表面と、ゲート装置への取付方向における機能モジュールの一面とに、電源用栓刃挿入口および情報用栓刃挿入口をそれぞれ形成し、前記取付方向における機能モジュールの他面に電源用栓刃と情報用栓刃とを設け、
前記ゲート装置の内側であって前記電源用栓刃挿入口に対応する部位に、前記電力線に電気的に接続されて、前記電源用栓刃挿入口から挿入された機能モジュールの電源用栓刃を保持する第１の電源用刃受部材を配設するとともに、前記ゲート装置の内側であって前記情報用栓刃挿入口に対応する部位に、前記電力線を通じて電力線搬送により情報信号を授受する電力線搬送通信手段に接続され、前記情報用栓刃挿入口から挿入された機能モジュールの情報用栓刃を保持する第１の情報用刃受部材を配設し、
前記機能モジュールの内側であって当該機能モジュールに設けた電源用栓刃挿入口および情報用栓刃挿入口にそれぞれ対応する部位に、当該機能モジュールに設けた電源用栓刃および情報用栓刃にそれぞれ電気的に接続されるとともに、前記各栓刃挿入口から挿入された他の機能モジュールの電源用栓刃および情報用栓刃をそれぞれ保持する第２の電源用刃受部材および第２の情報用刃受部材を配設したことを特徴とする配線システム。
【請求項３】
造営材の裏側に先行配線された電力線に電気的に接続され、一面を造営材の表側に露出させた状態で造営材に取着されるゲート装置と、前記ゲート装置に重ねて取着される１乃至複数の機能モジュールとで構成され、
ゲート装置の室内側の表面と、ゲート装置への取付方向における機能モジュールの一面とに電源用栓刃挿入口を形成し、前記取付方向における機能モジュールの他面に電源用栓刃を設け、
前記ゲート装置の内側であって前記電源用栓刃挿入口に対応する部位に、前記電力線に電気的に接続されて、前記電源用栓刃挿入口から挿入された機能モジュールの電源用栓刃を保持する第１の電源用刃受部材を配設するとともに、
前記機能モジュールの内側であって当該機能モジュールに設けた電源用栓刃挿入口に対応する部位に、当該機能モジュールに設けた電源用栓刃に電気的に接続されるとともに、前記電源用栓刃挿入口から挿入された他の機能モジュールの電源用栓刃を保持する第２の電源用刃受部材を配設し、前記各機能モジュールに、電力線を通じて電力線搬送により情報信号を授受する電力線搬送通信手段を設けたことを特徴とする配線システム。
【請求項４】
前記造営材が天井材であることを特徴とする請求項１乃至３の何れかに記載の配線システム。
【請求項５】
ゲート装置への取付方向における一方の面に、ゲート装置又は他の機能モジュールの何れかに設けた前記各栓刃挿入口にそれぞれ挿入される栓刃が設けられ、ゲート装置又は他の機能モジュールを介して電力の供給又は情報信号の授受の内何れか一方又は両方を行う終端接続用の機能モジュールを設けたことを特徴とする請求項１乃至４の何れかに記載の配線システム。
【請求項６】
ゲート装置又は他の機能モジュールの何れかに設けた前記各栓刃挿入口に対応する部位に、各栓刃挿入口から挿入されて各刃受部材に保持される係止手段が形成された終端接続用の化粧カバーを設けたことを特徴とする請求項１乃至５の何れかに記載の配線システム。
【請求項７】
前記ゲート装置に対して複数の前記機能モジュールが重ねて接続されたことを特徴とする請求項１乃至６の何れかに記載の配線システム。
【請求項８】
建物の壁又は床の何れか、或いは、壁及び床の両方に配設されて、前記電力線および前記情報線にそれぞれ接続される機能モジュールを設けたことを特徴とする請求項１乃至７の何れかに記載の配線システム。
【発明の詳細な説明】
【技術分野】
【０００１】
本発明は、配線システムに関するものである。
【背景技術】
【０００２】
従来より、天井に取り付けられ先行配線された伝送線が接続されているベースユニットと、所望の機能を有しベースユニットに対して着脱自在に接続される機能ユニットとで構成される配線システムがあった。この配線システムでは、ベースユニットに対して機能ユニットを接続すると、機能ユニットがベースユニットを介して伝送線に接続され、伝送線を介してデータ伝送が行えるようになっている（例えば特許文献１参照）。
【特許文献１】特開平８−２９８６９０号公報（段落番号［０１０３］〜［０１０５］、及び、第３１図、第３２図）
【発明の開示】
【発明が解決しようとする課題】
【０００３】
上述の配線システムでは、ベースユニットに対して伝送線しか接続されておらず、電力線は接続されていないので、例えば機能ユニットとして、照明負荷を制御する機能を有した端末器を用いる場合は、照明負荷に商用電源を供給するために、ＡＣ１００Ｖ用の電力線を端末器に対して別途配線する必要があった。すなわち上述の配線システムでは、負荷への電源供給が必要な機能ユニットをベースユニットに接続して使用する場合、別途電力線を機能ユニットに接続する必要があり、多様な機能を有する機能ユニットを接続して使用できるものではなかった。またベースユニットには機能ユニットが１つしか取り付けられないため、機能の追加や変更といった要求に容易に対応できないという問題があった。
【０００４】
本発明は上記問題点に鑑みて為されたものであり、その目的とするところは、ゲート装置に対して機能モジュールを嵌合するだけで機能モジュールの電力路および情報路を同時に確保でき、且つ、機能モジュールの追加や変更にも容易に対応できる配線システムを提供することにある。
【課題を解決するための手段】
【０００５】
上記目的を達成するために、請求項１の発明は、造営材の裏側に先行配線された電力線および情報線にそれぞれ電気的に接続され、一面を造営材の表側に露出させた状態で造営材に取着されるゲート装置と、ゲート装置に重ねて取着される１乃至複数の機能モジュールとで構成され、ゲート装置の室内側の表面と、ゲート装置への取付方向における機能モジュールの一面とに、電源用栓刃挿入口および情報用栓刃挿入口をそれぞれ形成し、取付方向における機能モジュールの他面に電源用栓刃と情報用栓刃とを設け、ゲート装置の内側であってゲート装置に設けた電源用栓刃挿入口および情報用栓刃挿入口にそれぞれ対応する部位に、電力線および情報線にそれぞれ電気的に接続されて、各栓刃挿入口から挿入された機能モジュールの電源用栓刃および情報用栓刃をそれぞれ保持する第１の電源用刃受部材および第１の情報用刃受部材を配設するとともに、機能モジュールの内側であって当該機能モジュールに設けた電源用栓刃挿入口および情報用栓刃挿入口にそれぞれ対応する部位に、当該機能モジュールに設けた電源用栓刃および情報用栓刃にそれぞれ電気的に接続されるとともに、各栓刃挿入口から挿入された他の機能モジュールの電源用栓刃および情報用栓刃をそれぞれ保持する第２の電源用刃受部材および第２の情報用刃受部材を配設したことを特徴とする。
【０００６】
請求項２の発明は、造営材の裏側に先行配線された電力線に電気的に接続され、一面を造営材の表側に露出させた状態で造営材に取着されるゲート装置と、ゲート装置に重ねて取着される１乃至複数の機能モジュールとで構成され、ゲート装置の室内側の表面と、ゲート装置への取付方向における機能モジュールの一面とに、電源用栓刃挿入口および情報用栓刃挿入口をそれぞれ形成し、取付方向における機能モジュールの他面に電源用栓刃と情報用栓刃とを設け、ゲート装置の内側であって電源用栓刃挿入口に対応する部位に、電力線に電気的に接続されて、電源用栓刃挿入口から挿入された機能モジュールの電源用栓刃を保持する第１の電源用刃受部材を配設するとともに、ゲート装置の内側であって情報用栓刃挿入口に対応する部位に、電力線を通じて電力線搬送により情報信号を授受する電力線搬送通信手段に接続され、情報用栓刃挿入口から挿入された機能モジュールの情報用栓刃を保持する第１の情報用刃受部材を配設し、機能モジュールの内側であって当該機能モジュールに設けた電源用栓刃挿入口および情報用栓刃挿入口にそれぞれ対応する部位に、当該機能モジュールに設けた電源用栓刃および情報用栓刃にそれぞれ電気的に接続されるとともに、各栓刃挿入口から挿入された他の機能モジュールの電源用栓刃および情報用栓刃をそれぞれ保持する第２の電源用刃受部材および第２の情報用刃受部材を配設したことを特徴とする。
【０００７】
請求項３の発明は、造営材の裏側に先行配線された電力線に電気的に接続され、一面を造営材の表側に露出させた状態で造営材に取着されるゲート装置と、ゲート装置に重ねて取着される１乃至複数の機能モジュールとで構成され、ゲート装置の室内側の表面と、ゲート装置への取付方向における機能モジュールの一面とに電源用栓刃挿入口を形成し、取付方向における機能モジュールの他面に電源用栓刃を設け、ゲート装置の内側であって電源用栓刃挿入口に対応する部位に、電力線に電気的に接続されて、電源用栓刃挿入口から挿入された機能モジュールの電源用栓刃を保持する第１の電源用刃受部材を配設するとともに、機能モジュールの内側であって当該機能モジュールに設けた電源用栓刃挿入口に対応する部位に、当該機能モジュールに設けた電源用栓刃に電気的に接続されるとともに、電源用栓刃挿入口から挿入された他の機能モジュールの電源用栓刃を保持する第２の電源用刃受部材を配設し、各機能モジュールに、電力線を通じて電力線搬送により情報信号を授受する電力線搬送通信手段を設けたことを特徴とする。
【０００８】
請求項４の発明は、請求項１乃至３の何れかの発明において、造営材が天井材であることを特徴とする。
【０００９】
請求項５の発明は、請求項１乃至４の何れかの発明において、ゲート装置への取付方向における一方の面に、ゲート装置又は他の機能モジュールの何れかに設けた各栓刃挿入口にそれぞれ挿入される栓刃が設けられ、ゲート装置又は他の機能モジュールを介して電力の供給又は情報信号の授受の内何れか一方又は両方を行う終端接続用の機能モジュールを設けたことを特徴とする。
【００１０】
請求項６の発明は、請求項１乃至５の何れかの発明において、ゲート装置又は他の機能モジュールの何れかに設けた各栓刃挿入口に対応する部位に、各栓刃挿入口から挿入されて各刃受部材に保持される係止手段が形成された終端接続用の化粧カバーを設けたことを特徴とする。
【００１１】
請求項７の発明は、請求項１乃至６の何れかの発明において、ゲート装置に対して複数の機能モジュールが重ねて接続されたことを特徴とする。
【００１２】
請求項８の発明は、請求項１乃至７の何れかの発明において、建物の壁又は床の何れか、或いは、壁及び床の両方に配設されて、電力線および情報線にそれぞれ接続される機能モジュールを設けたことを特徴とする。
【発明の効果】
【００１３】
請求項１の発明によれば、機能モジュールをゲート装置に嵌合して取り付けるだけで、各機能モジュールがゲート装置を介して電力線および情報線に接続されて、機能モジュールの電力路および情報路を同時に確保でき、且つ、所望の機能を有する機能モジュールを重ねて取り付けることができるので、機能の追加や変更にも容易に対応することができる。
【００１４】
請求項２の発明によれば、機能モジュールをゲート装置に嵌合して取り付けるだけで、機能モジュールの電力路および情報路を同時に確保でき、且つ、所望の機能を有する機能モジュールを重ねて取り付けることができるので、機能の追加や変更にも容易に対応することができる。さらに、電力線搬送通信により情報信号を伝送しているので、電力線で情報線を兼用でき、配線の数を減らせるから配線施工を簡略化できる。
【００１５】
請求項３の発明によれば、機能モジュールをゲート装置に嵌合して取り付けるだけで、各機能モジュールがゲート装置を介して電力線に接続されて、機能モジュールの電力路および情報路を同時に確保でき、且つ、所望の機能を有する機能モジュールを重ねて取り付けることができるので、機能の追加や変更にも容易に対応することができる。さらに、電力線搬送通信により情報信号を伝送しているので、電力線で情報線を兼用でき、配線の数を減らせるから配線施工を簡略化できる。
【００１６】
請求項４の発明によれば、天井材に取着されたゲート装置に対して機能モジュールを重ねて取り付けた場合に、機能モジュールの数が増えても邪魔になることがないという利点がある。
【００１７】
請求項５の発明によれば、ゲート装置又はゲート装置に重ねて取り付けられた他の機能モジュールに対して、終端接続用の機能モジュールを取り付けることで、ゲート装置又は他の機能モジュールに設けた各栓刃挿入口を隠して、外観の見栄えを良くすることができ、且つ、終端接続した機能モジュールの機能を果たすことができる。
【００１８】
請求項６の発明によれば、ゲート装置又はゲート装置に重ねて取り付けられた機能モジュールに化粧カバーを取り付けることで、ゲート装置又は機能モジュールに設けた各栓刃挿入口を隠すことができ、外観の見栄えを良くできる。
【００１９】
請求項７の発明によれば、複数の機能モジュールを重ねて接続することで、１つのゲート装置に対して複数の機能を提供できるという利点がある。
【００２０】
請求項８の発明によれば、電力線および情報線にそれぞれ接続される機能モジュールを、壁又は床の何れか、或いは、壁及び床の両方に配設しているので、多種多様な機能を有するシステムを実現できる。
【発明を実施するための最良の形態】
【００２１】
以下に本発明の実施の形態を図面に基づいて説明する。
【００２２】
（実施形態１）
図３に本発明に係る配線システムのシステム構成を示す。この配線システムでは、建物内の床、壁、天井の適所において１乃至複数の埋込ボックス９０を埋込配設してあり、始端の埋込ボックス９０に対しては、屋外より配線盤６内に引き込まれ主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各埋込ボックス９０の間は造営材の裏側に先行配線された電力線Ｌ１と情報線Ｌ２とを送り配線してある。
【００２３】
天井１００に設けた埋込ボックス９０には、図２に示すような天井用ゲート装置（以下ゲート装置と略称する。）１Ａが配設される。このゲート装置１Ａのゲート装置本体１０は略円柱状であって、下端部の周面からは鍔部１０ａが全周に亘って突設されている。このゲート装置本体１０は、天井１００に設けた取付孔に下側（室内側）から挿入されて、図示しない取付金具と鍔部１０ａとの間で天井材を挟持することによって天井材に取着されるようになっている。
【００２４】
ゲート装置本体１０の上側面には、例えば従来周知の速結端子構造を有する端子部１１ａ，１１ｂ，１２ａ，１２ｂが設けられており、端子部１１ａ，１１ｂには電力線Ｌ１が、端子部１２ａ，１２ｂには情報線Ｌ２が接続されるようになっている。なお、端子部１１ａ，１１ｂの何れか一方に接続される電力線Ｌ１は他の埋込ボックス９０への送り配線となる。また端子部１２ａ，１２ｂの何れか一方に接続される情報線Ｌ２も他の埋込ボックス９０への送り配線となる。
【００２５】
一方、ゲート装置本体１０の下側面には、それぞれ弧状に開口する４個の栓刃挿入口１３，１３，１４，１４が約９０度おきに形成されており、ゲート装置本体１０の中心を挟んで対角の位置にある２個の栓刃挿入口１３，１３が電源用栓刃挿入口となり、他の２個の栓刃挿入口１４，１４が情報用栓刃挿入口となる。
【００２６】
そして、一対の電源用栓刃挿入口１３，１３にそれぞれ対応する部位で、ゲート装置本体１０の内側には、電力線Ｌ１に電気的に接続されるとともに、各電源用栓刃挿入口１３の一端側の幅広部１３ａから挿入された後述の電源用引掛栓刃２１が各電源用栓刃挿入口１３の他端側に移動したときに各電源用引掛栓刃２１をそれぞれ保持する一対の第１の電源用引掛刃受部材（以下、電源用引掛刃受部材と略称する。）１５，１５を配設してある。同様に、一対の情報用栓刃挿入口１４，１４にそれぞれ対応する部位で、ゲート装置本体１０の内側には、情報線Ｌ２に電気的に接続されるとともに、各情報用栓刃挿入口１４の一端側の幅広部１４ａから挿入された後述の情報用引掛栓刃２２が各情報用栓刃挿入口１４の他端側に移動したときに各情報用引掛栓刃２２をそれぞれ保持する一対の第１の情報用引掛刃受部材（以下、電源用引掛刃受部材と略称する。）１６，１６を配設してある。ここに、各栓刃挿入口１３，１４の開口部の形状や各引掛刃受部材１５，１６の形状はシステムとして定形化（規格化）されている。
【００２７】
次にゲート装置１Ａに接続される天井用機能モジュール（以下、機能モジュールと略称する。）２ａについて図１（ａ）（ｂ）を参照して説明する。
【００２８】
この機能モジュール２ａは煙や熱などから火災を感知する機能を有しており、略円盤型の器体２０の上側面（ゲート装置１Ａへの取付方向における一方の面）には、ゲート装置１Ａに設けた各一対の電源用栓刃挿入口１３及び情報用栓刃挿入口１４にそれぞれ対応する部位に、各栓刃挿入口１３，１４にそれぞれ挿入される各一対の電源用引掛栓刃２１と情報用引掛栓刃２２とを設けてある。
【００２９】
また、器体２０の下側面（上記取付方向における他方の面）には、それぞれ弧状に開口する４個の栓刃挿入口２３，２３，２４，２４が約９０度おきに形成されており、器体２０の中心を挟んで対角の位置にある２個の栓刃挿入口２３，２３が電源用栓刃挿入口となり、他の２個の栓刃挿入口２４，２４が情報用栓刃挿入口となる。
【００３０】
そして、一対の電源用栓刃挿入口２３，２３にそれぞれ対応する部位で器体２０の内側には、当該機能モジュール２ａに設けられた一対の電源用引掛栓刃２１にそれぞれ電気的に接続されるとともに、各電源用栓刃挿入口２３の一端側（幅広部２３ａ）から挿入された他の機能モジュールの電源用引掛栓刃２１が各電源用栓刃挿入口２３の他端側に移動したときに各電源用引掛栓刃２１をそれぞれ保持する一対の電源用引掛刃受部材２５，２５を配設してある。同様に、一対の情報用栓刃挿入口２４，２４にそれぞれ対応する部位で器体２０の内側には、当該機能モジュール２ａに設けられた一対の情報用引掛栓刃２２にそれぞれ電気的に接続されるとともに、各情報用栓刃挿入口２４の一端側（幅広部２４ａ）から挿入された他の機能モジュールの情報用引掛栓刃２２が各情報用栓刃挿入口２４の他端側に移動したときに各情報用引掛栓刃２２をそれぞれ保持する一対の情報用引掛刃受部材２６，２６を配設してある。
【００３１】
ここに、各栓刃挿入口２３，２４の開口部の形状や各引掛栓刃２１，２２の形状はシステムとして定形化（規格化）されている。この機能モジュール２ａをゲート装置１Ａに取り付けるに当たっては、機能モジュール２ａの器体２０をゲート装置１Ａに下側から近付けて、各引掛栓刃２１，２２をゲート装置本体１０に設けた各栓刃挿入口１３，１４の一端側の幅広部１３ａ，１４ａに挿入した後、機能モジュール２ａの器体２０を回転させると、各引掛栓刃２１，２２が各栓刃挿入口１３，１４の他端部に移動して各引掛刃受部材１５，１６に保持されることで、機能モジュール２ａをゲート装置１Ａに嵌合させるだけで機能モジュール２ａの取付が行える（図４参照）。この時、機能モジュール２ａの各引掛栓刃２１，２２が各引掛刃受部材１５，１６に電気的に接続されるので、機能モジュール２ａがゲート装置１Ａを介して電力線Ｌ１および情報線Ｌ２に電気的に接続されることになる。また機能モジュール２ａに他の機能モジュールを重ねて取り付ける場合には、機能モジュール２ａの器体２０に他の機能モジュールを下側から近付けて、他の機能モジュールの引掛栓刃２１，２２を機能モジュール２ａの各栓刃挿入口２３，２４の一端側の幅広部２３ａ，２４ａに挿入した後、他の機能モジュールの器体２０を回転させると、各引掛栓刃２１，２２が各栓刃挿入口２３，２４の他端部に移動して各引掛刃受部材２５，２６に保持されるので、他の機能モジュールを機能モジュール２ａに嵌合して取り付けることができる。またこの時、他の機能モジュールの各引掛栓刃２１，２２が各引掛刃受部材２５，２６に電気的に接続されるので、他の機能モジュールを機能モジュール２ａおよびゲート装置１Ａを介して電力線Ｌ１および情報線Ｌ２に電気的に接続されることになる。
【００３２】
この機能モジュール２ａの器体２０内には図４に示すような構成の回路が内蔵されている。すなわち機能モジュール２ａは、電源用引掛栓刃２１を介して接続される商用電源ＡＣを整流、平滑して安定した直流電圧からなる内部回路の動作電源（＋Ｖ）を得るＡＣ／ＤＣコンバータ３０と、情報用引掛栓刃２２を介して接続される情報線Ｌ２を通じて情報信号の送受信を行う送受信部３１と、この送受信部３１で受信される情報信号からデータを取り込んで処理を行う演算処理部３２と、Ｉ／Ｏインターフェース３３を介して演算処理部３２との間でデータの授受を行って動作する機能部３４とを備えており、この機能部３４の構成が機能モジュールの種類によって異なるのである。なおゲート装置１Ａに接続される情報線Ｌ２は複数種の機能モジュールに対応した情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置１Ａの情報用引掛刃受部材１６と、機能モジュール２ａ…の情報用引掛栓刃２２との間で、複数種の機器用の情報信号が授受されるから、機能モジュール２ａ…に所望の機能を有するものを選択的に設置することができ、機能モジュール２ａ…の機能拡張や機能の変更にも容易に対応することができる。
【００３３】
本実施形態では機能モジュール２ａが例えば火災感知機能を有しており、その機能部３４は、器体２０の周面に設けた開口２０ａから内部に侵入する煙を検知することで火災の発生を検知する火災センサ３６と、火災センサ３６の出力を監視し、火災センサ３６が火災を検知すると、Ｉ／Ｏインターフェース３３を介して演算処理部３２に火災感知信号を出力するＣＰＵ部３５とで構成される。
【００３４】
なお、本実施形態では火災感知機能を備えた機能モジュール２ａを例に説明を行ったが、機能モジュールの機能を火災感知機能に限定する趣旨のものではなく、図７〜図９に示すように円盤型の器体２０の周面に赤外線を透過する帯状の赤外線透過部２０ｂを設け、赤外線透過部２０ｂの内側にＰＩＲセンサよりなる人感センサ（図示せず）を配置した人体検知機能を有する機能モジュール２ｂを用いても良い。
【００３５】
また機能モジュールには、器体２０の上側面に各一対の電源用引掛栓刃２１および情報用引掛栓刃２２が設けられ、下側面には栓刃挿入口２３，２４が形成されていない終端接続用の機能モジュールもある。このような終端接続用の機能モジュールとしては、例えば図３及び図５に示すように器体２０の下側面に設けたドーム型の透光カバー２０ｃの内部にカメラ（図示せず）を収納した監視カメラ機能を有する機能モジュール２ｃや、ＢＧＭや音声を流すためのスピーカＳＰを持つ機能モジュール２ｄがある。図６は終端接続用の機能モジュール２ｃ，２ｄの回路構成を示したブロック図であり、送り配線のための引掛刃受部材２５，２６を備えていない点を除けば、図４に示す機能モジュール２ａと同様の回路構成を有しているので、共通する構成要素には同一の符号を付して、その説明は省略する。終端接続用の機能モジュール２ｃ，２ｄは、ゲート装置１Ａ又はゲート装置１Ａに取着された他の機能モジュール２ａの下面に重ねて取り付けられるものであり、その下側面には栓刃挿入口２３，２４が開口していないので、外観の見栄えを良くできる。
【００３６】
また、終端接続用の機能モジュール２ｃ，２ｄを使用しない場合には、図２に示すような化粧プレート４を、ゲート装置１Ａ又はゲート装置１Ａに取着された機能モジュール２ａに取着すれば良い。この化粧プレート４は、ゲート装置１Ａの前面と略同じ寸法の円板形状に形成され、一方の面（上側面）には各引掛栓刃２１，２２と略同じ形状の４個の取付爪４ａが突設されている。而して、この化粧プレート４は機能モジュール２ａ…と同様の手順で、ゲート装置１Ａ又はゲート装置１Ａに取着された機能モジュール２ａ…に取り付けることができ（図１５参照）、終端接続用の機能モジュール２ｃ，２ｄを使用しない場合にはゲート装置１Ａ又はゲート装置１Ａに取着された機能モジュール２ａ…に化粧プレート４を取り付けることで、ゲート装置１Ａの栓刃挿入口１３，１４又は機能モジュール２ａ…の栓刃挿入口２３，２４を塞いで外観の見栄えを良くできる。尚本実施形態では化粧カバーとして板状のものを用いているが、ゲート装置１Ａの栓刃挿入口１３，１４又は機能モジュール２ａ…の栓刃挿入口２３，２４を塞ぐことができればどのような形態のものでも良く、立体的な形状の化粧カバーを用いても良い。
【００３７】
而して、天井１００に配設されたゲート装置１Ａに対して、上述の機能モジュール２ａ…を複数台重ねて取り付けることで、機能の追加や拡張にも容易に対応することができる。例えば図７〜図９に示す使用例では、ゲート装置１Ａに対して火災感知機能を有する機能モジュール２ａと、人体検知機能を有する機能モジュール２ｂと、監視カメラ機能を有する機能モジュール２ｃとを順番に重ねて取り付けてあり、１箇所で３つの機能を実現することができる。また終端接続用の機能モジュール２ｃを一番下側に取り付けてあり、この機能モジュール２ｃの下側面には栓刃挿入口２３，２４が形成されていないので、外観の見栄えを良くできる。なお複数の機能を組み合わせるために、機能モジュール２ａ…の数が多くなったとしても、天井１００に設けたゲート装置１Ａに機能モジュール２ａ…を重ねて取り付けているので、機能モジュール２ａ…が邪魔になることはない。
【００３８】
また、図１０及び図１１に示す使用例では、ゲート装置１Ａに対して人体検知機能を有する機能モジュール２ｂと、監視カメラ機能を有する機能モジュール２ｃとを重ねて取り付けてあり、図１２に示す使用例では、ゲート装置１Ａに対して火災感知機能を有する機能モジュール２ａと、監視カメラ機能を有する機能モジュール２ｃとを重ねて取り付けてある。また図１３に示す使用例では、ゲート装置１Ａに対して監視カメラ機能を有する機能モジュール２ｃのみを取り付けてある。このように、所望の機能を有する機能モジュール２ａ…を１乃至複数個選択して、ゲート装置１Ａに嵌合して取り付けるだけで、ゲート装置１Ａに接続された各機能モジュールの電力路および情報路を同時に確保して、所望の動作を行わせることが可能になり、機能の追加や変更にも容易に対応することができる。また終端接続用の機能モジュール２ｃ，２ｄや化粧プレート４を一番下側に取り付けることで、ゲート装置１Ａに設けた栓刃挿入口１３，１４又は機能モジュール２ａ…に設けた栓刃挿入口２３，２４を隠すことができ、外観の見栄えを良くできる。
【００３９】
ところで、上述のゲート装置１Ａは天井材の下側面に取り付けられるのであるが、本システムでは建物の壁１０１や床１０２に埋設された埋込ボックス９０内にも壁・床用ゲート装置（以下、ゲート装置と略称する。）１Ｂを配設し、壁・床用ゲート装置１Ｂに所望の機能を有する壁・床用機能モジュール（以下、機能モジュールと略称する。）３ａ…を取り付けてある。
【００４０】
ゲート装置１Ｂは、上述のゲート装置１Ａと同様、図１６に示すように例えば従来周知の速結端子構造を有する端子部１１ａ，１１ｂ，１２ａ，１２ｂを備えており、端子部１１ａ，１１ｂには埋込ボックス９０内に導入された上記の電力線Ｌ１が、端子部１２ａ，１２ｂには埋込ボックス９０内に導入された上記の情報線Ｌ２がそれぞれ接続されるようになっている。ここで、端子部１１ａ，１１ｂの何れか一方に接続される電力線Ｌ１は他の埋込ボックス９０への送り配線となり、端子部１２ａ，１２ｂの何れか一方に接続される情報線Ｌ２も他の埋込ボックス９０への送り配線となっている。
【００４１】
一方、ゲート装置１Ｂの前面（室内側の面）には、図３に示すように端子部１１ａ，１１ｂに電気的に接続された導電部を備えて、端子部１１ａ，１１ｂに接続される電力線Ｌ１を外部の電力路に接続するための電力路接続口１７ａと、端子部１２ａ，１２ｂに接続される情報線Ｌ２と電気的に接続されている導電部を備えて情報線Ｌ２を外部の情報路に接続するための情報路接続口１７ｂとが設けられている。ここに、各接続口１７ａ，１７ｂは、それぞれ、導電部の配列や開口部の形状をシステムとして定形化（規格化）してある。
【００４２】
次に壁１０１に設けたゲート装置１Ｂに接続される機能モジュール３ａ…について図３および図１６を参照して説明する。この機能モジュール３ａは、ゲート装置１Ｂの各接続口１７ａ，１７ｂにそれぞれ対応した形態に規格化された電力用コネクタ２７ａおよび情報用コネクタ２７ｂを背面側に設けてあり、これらのコネクタ２７ａ，２７ｂをゲート装置１Ａの各接続口１７ａ，１７ｂに接続することによって、ゲート装置１Ａの器体の前面側に機能モジュール３ａ…の器体を重ねた状態で取着することができ、また機能モジュール３ａ…の電力路および情報路を同時に確保できるようになっている。
【００４３】
機能モジュール３ａの器体内には図１６に示すような構成の回路が内蔵されている。すなわち機能モジュール３ａは、電力用コネクタ２７ａを介して接続される商用電源ＡＣを整流、平滑して安定した直流電圧からなる内部回路の動作電源（＋Ｖ）を得るＡＣ／ＤＣコンバータ３０と、情報用コネクタ２７ｂを介して接続される情報線Ｌ２を通じて情報信号の送受信を行う送受信部３１と、この送受信部３１で受信される情報信号からデータを取り込んで処理を行う演算処理部３２と、Ｉ／Ｏインターフェース３３を介して演算処理部３２との間でデータの授受を行って動作する機能部３４とを備えており、この機能部３４の構成が機能モジュールの種類によって異なるのである。
【００４４】
ここに、機能モジュール３ａは、照明器具などをオン／オフ操作するためのスイッチＳＷ１，ＳＷ２を備えた操作スイッチ型の機能モジュールであり、その機能部３４は、スイッチＳＷ１，ＳＷ２の操作を監視して、スイッチＳＷ１，ＳＷ２が操作されるとＩ／Ｏインターフェース３３を介して演算処理部３２へ操作信号を出力するＣＰＵ部３６から構成されている。
【００４５】
なお、壁・床用の機能モジュール３ａ…の機能をスイッチ機能に限定する趣旨のものではなく、機能モジュールの種類に合わせて機能部３４の構成を適宜変更すれば良い。例えば図３に示すように、壁１０１に設けたゲート装置１Ｂに接続する機能モジュールとして、モニタ装置Ｍを備えた機能モジュール３ｂや、空調機器のコントローラ等の操作器型機能モジュール（図示せず）などがある。また床１０２に設けたゲート装置１Ｂに接続する機能モジュールとしては、電源プラグ用のコンセント部８２を備えた機能モジュール３ｃや、スピーカＳＰを備えた機能モジュール３ｄなどを用いても良く、機能モジュールの種類に合わせて機能部３４の構成を適宜変更すればよい。
【００４６】
而して、本発明の配線システムを使用するに当たっては、建物内の適所（天井１００、壁１０１又は床１０２）に埋設された埋込ボックス９０内に導入されている電力線Ｌ１および情報線Ｌ２をゲート装置１Ａ，１Ｂに接続した後、これらのゲート装置１Ａ，１Ｂを埋込ボックス９０に取り付ける。次に天井用のゲート装置１Ａの各栓刃挿入口１３，１４の一端側（幅広部１３ａ，１４ａ）に、天井用の機能モジュール２ａ…の各引掛栓刃２１，２２を挿入した後、機能モジュール２ａ…を回転させて各引掛栓刃２１，２２を各栓刃挿入口１３，１４の他端側へ移動させると、各引掛栓刃２１，２２が対応する引掛刃受部材１５，１６に保持され、機能モジュール２ａが天井１００に取着される。なお複数の機能を使用したい場合には、上述と同様の手順で複数の機能モジュール２ａ…をゲート装置１Ａに対して重ねて取り付けることができる（図１４参照）。そして、１乃至複数の機能モジュール２ａ…をゲート装置１Ａに対して取り付けた状態では、各機能モジュール２ａ…がゲート装置１Ａを介して電力線Ｌ１および情報線Ｌ２に接続され、電力線Ｌ１を介して電源が供給されるとともに、情報線Ｌ２を介して情報信号の授受が行えるのである。
【００４７】
また壁・床用のゲート装置１Ｂの前面部に設けられた電力路接続口１７ａ及び情報路接続口１７ｂに対して、壁・床用の機能モジュール３ａ…の対応するコネクタ２７ａ，２７ｂを接続することにより、ゲート装置１Ｂの前面部を覆うようにして機能モジュール３ａ…が取り付けられる。この取付状態において、各機能モジュール３ａ…はゲート装置１Ｂを介して電力線Ｌ１および情報線Ｌ２に接続され、電力線Ｌ１を介して電源が供給されるとともに、情報線Ｌ２を介して情報信号の授受が行えるのである。
【００４８】
なお、本発明の配線システムにおいて、情報信号を伝送する方式としては、ベースバンド伝送又はブロードバンド伝送の何れを採用しても良く、またプロトコルも何れでも良いが、音声、映像などを用いるインターホンの親機、子機との間にはＪＴ−Ｈ２３２パケットに基づいて音声・映像を相互に伝送することとし、また制御系にあっては操作側からの操作データにより１乃至複数の負荷を操作できるような１対１又は１対Ｎの対応が可能なユニキャスト或いはブロードキャストに対応する経路制御プロトコルを採用すれば良く、特に限定されるものではないので、説明は省略する。また、ゲート装置１Ａ，１Ｂ間の使用プロトコルと、ゲート装置１Ａ，１Ｂに接続される機能モジュール２ａ…，３ａ…，４ａ…での使用プロトコルを異ならせ、例えばゲート装置１Ａ，１Ｂにおいてプロトコル変換を行うようにしても良い。
【００４９】
また、本実施形態で説明したゲート装置１Ａを壁１０１や床１０２に配設し、壁１０１や床１０２に配設されたゲート装置１Ａに対して１乃至複数の機能モジュール２ａ…を重ねて取り付けても良いことは言うまでもなく、上述と同様に使用することができる。
【００５０】
（実施形態２）
本発明の実施形態２について図１７に基づいて説明する。上述の実施形態１では情報路と電力路とを別々にしているため、ゲート装置１Ａ，１Ｂには電力線Ｌ１と情報線Ｌ２とを夫々接続しているが、電力線搬送によって情報信号の伝送を行えば、電力路を情報路として用いることもできるため、配線を電力線Ｌ１のみとすることができる。つまり、実施形態１の配線システムにおいて、各埋込ボックス９０での先行配線は電力線Ｌ１のみとし、これに対応してゲート装置１Ａに、電力線Ｌ１を通じて供給される電源から情報信号を分離して取り出すＰＬＣモデム部（電力線搬送通信手段）１８を設けてあり、ＰＬＣモデム部１８の情報入出力端子を情報用引掛刃受部材１６，１６に接続してある。同様にゲート装置１Ｂにおいても、電力線Ｌ１を通じて供給される電源から情報信号を分離して取り出すＰＬＣモデム部（図示せず）を設け、ＰＬＣモデム部の情報入出力端子を情報路接続口１７ｂに接続すれば良い。尚、ＰＬＣモデム部１８以外の構成は実施形態１と同様であるので、共通する構成要素には同一の符号を付してその説明は省略する。
【００５１】
上述のように本実施形態では、ゲート装置１Ａに電力線Ｌ１を通じて電力線搬送により情報信号を伝送するＰＬＣモデム部１８を設け、ＰＬＣモデム部１８により電源から分離された情報信号を機能モジュール２ａの送受信部３１に出力するとともに、送受信部３１から入力された情報信号を電源に重畳させて電力線Ｌ１に出力しているので、電力線Ｌ１で情報線Ｌ２を兼用でき、情報線Ｌ２が不要になるから、配線の数を減らして配線施工を簡略化することができる。
【００５２】
尚、ＰＬＣモデム部１８で採用する電力線搬送の変調方式としては広帯域スペクトラム拡散方式、マルチキャリア方式、ＯＦＤＭ方式等各種方式の何れでも良いので、ここでは特に説明はしない。
【００５３】
（実施形態３）
本発明の実施形態３について図１８に基づいて説明する。上述の実施形態２ではゲート装置１ＡにＰＬＣモデム部１８を設けているが、本実施形態では電源用引掛栓刃２１と情報用引掛栓刃２２とを同一の引掛栓刃２２で構成し、電源用引掛刃受部材１５と情報用引掛刃受部材１６とを同一の引掛刃受部材１５で構成するとともに、電源用引掛刃受部材２５と情報用引掛刃受部材２６とを同一の引掛刃受部材２５で構成し、電力線Ｌ１を通じて供給される電源から情報信号を分離して取り出すＰＬＣモデム部（電力線搬送通信手段）３８を機能モジュール２ａ…側に設けてある。尚、端子部１２ａ，１２ｂと引掛刃受部材１５，２６と引掛栓刃２３とを無くして、ＰＬＣモデム部３８を設けた点以外は実施形態１と同様であるので、共通する構成要素には同一の符号を付してその説明は省略する。
【００５４】
上述のように本実施形態では、機能モジュール２ａ側に、ゲート装置１Ａを介して接続される電力線Ｌ１を通じて電力線搬送により情報信号を伝送するＰＬＣモデム部３８を設け、ＰＬＣモデム部３８により電源から分離された情報信号を送受信部３１に出力するとともに、送受信部３１から入力された情報信号を電源に重畳させゲート装置１Ａを介して電力線Ｌ１に出力しているので、電力線Ｌ１で情報線Ｌ２を兼用でき、情報線Ｌ２が不要になるから、配線の手間を少なくできるという利点がある。
【００５５】
尚、ＰＬＣモデム部３８で採用する電力線搬送の変調方式としては広帯域スペクトラム拡散方式、マルチキャリア方式、ＯＦＤＭ方式等各種方式の何れでも良いので、ここでは特に説明はしない。
【図面の簡単な説明】
【００５６】
【図１】実施形態１に用いる機能モジュールを示し、（ａ）は正面より見た外観斜視図、（ｂ）は背面より見た外観斜視図である。
【図２】同上に用いるゲート装置からカバープレートを外した状態の分解斜視図である。
【図３】同上のシステム構成図である。
【図４】（ａ）は同上に用いるゲート装置および機能モジュールのブロック図、（ｂ）は機能モジュールの要部ブロック図である。
【図５】同上に用いる終端接続用の機能モジュールを示し、（ａ）は正面より見た外観斜視図、（ｂ）は背面より見た外観斜視図である。
【図６】同上に用いる終端接続用の機能モジュールのブロック図である。
【図７】同上の使用形態を示し、正面から見た分解斜視図である。
【図８】同上の使用形態を示し、背面から見た分解斜視図である。
【図９】同上の使用形態を説明する外観斜視図である。
【図１０】同上の他の使用形態を示す分解斜視図である。
【図１１】同上の他の使用形態を示す外観斜視図である。
【図１２】同上のまた別の使用形態を示す外観斜視図である。
【図１３】同上のさらに別の使用形態を示す外観斜視図である。
【図１４】同上を天井に取り付けた状態の説明図である。
【図１５】同上に用いるゲート装置に化粧プレートを取り付けた状態の外観斜視図である。
【図１６】（ａ）は同上に用いる壁・床用ゲート装置および壁・床用機能モジュールのブロック図、（ｂ）は壁・床用機能モジュールの要部ブロック図である。
【図１７】実施形態２に用いるゲート装置および機能モジュールのブロック図である。
【図１８】実施形態２に用いるゲート装置および機能モジュールのブロック図である。
【符号の説明】
【００５７】
１Ａ  天井用ゲート装置
１Ｂ  壁・床用ゲート装置
２ａ…  機能モジュール
３ａ…  壁・床用機能モジュール
２１  電源用引掛栓刃
２２  情報用引掛栓刃
２３  電源用栓刃挿入口
２４  情報用栓刃挿入口
９０  埋込ボックス
１００  天井
１０１  壁
１０２  床
Ｌ１  電力線
Ｌ２  情報線
【図１】
2007151277.tif 000003
【図２】
2007151277.tif 000004
【図３】
2007151277.tif 000005
【図４】
2007151277.tif 000006
【図５】
2007151277.tif 000007
【図６】
2007151277.tif 000008
【図７】
2007151277.tif 000009
【図８】
2007151277.tif 000010
【図９】
2007151277.tif 000011
【図１０】
2007151277.tif 000012
【図１１】
2007151277.tif 000013
【図１２】
2007151277.tif 000014
【図１３】
2007151277.tif 000015
【図１４】
2007151277.tif 000016
【図１５】
2007151277.tif 000017
【図１６】
2007151277.tif 000018
【図１７】
2007151277.tif 000019
【図１８】
2007151277.tif 000020